(57)【要約】      （修正有）【課題】照射方向の調整状況を外部から容易に確認できる、発光ダイオードを用いた照明器具を提供する。【解決手段】内部に複数の発光ダイオードが長手方向に並べられ、該長手方向に直交した断面形状がＣ字状の透光面を有する管状体を有する照明器具１において、前記管状体が、両端部分の外周面に、周方向に設けられた複数の第一係合部１３１１を有するものであり、第二係合部１３２１を有し、前記管状体の軸周りの回動を前記第一係合部と該第二係合部が係合することで規制する回動規制部材１３２を備えた。【選択図】図２
0003164046.tif 000002
【実用新案登録請求の範囲】
【請求項１】
内部に複数の発光ダイオードが長手方向に並べられ、該長手方向に直交した断面形状がＣ字状の透光面を有する管状体を備えた照明器具において、
前記管状体が、両端部分の外周面に、周方向に設けられた複数の第一係合部を有するものであり、
第二係合部を有し、前記管状体の軸周りの回動を前記第一係合部と該第二係合部が係合することで規制する回動規制部材を備えたことを特徴とする照明器具。
【請求項２】
前記回動規制部材は、前記管状体の両端部それぞれに配置され、前記長手方向に突出し前記発光ダイオードへの電力を受け取る電極が設けられるとともに前記第二係合部が外周面の周方向に沿って複数設けられたものであることを特徴とする請求項１記載の照明器具。
【請求項３】
前記回動規制部材を前記管状体側に向けて付勢する付勢部材を備えたことを特徴とする請求項２記載の照明器具。
【請求項４】
前記付勢部材は、前記回動規制部材と前記管状体を、該管状体が軸周り回動自在に連結したものであることを特徴とする請求項３記載の照明器具。
【請求項５】
前記回動規制部材は、前記管状体を該管状体の径方向に付勢して該管状体の前記長手方向の移動を規制する円弧状の板バネ部材の内周面に、前記係合部が係合する被係合部が該内周面の周方向に沿って複数設けられたものであることを特徴とする請求項１記載の照明器具。
【請求項６】
前記管状体は、両端部それぞれに、前記長手方向に突出し前記発光ダイオードへの電力を受け取る電極を有するものであることを特徴とする請求項５記載の照明器具。
【考案の詳細な説明】
【技術分野】
【０００１】
内部に複数の発光ダイオードが長手方向に並べられ、該長手方向に直交した断面形状がＣ字状の透光面を有する管状体を有する照明器具に関する。
【背景技術】
【０００２】
現在、発光ダイオード（ＬＥＤ：Ｌｉｇｈｔ  Ｅｍｉｔｔｉｎｇ  Ｄｉｏｄｅ）を用いた照明器具（以下、ＬＥＤ照明と称する）が注目されている。ＬＥＤは、従来の電球や蛍光管と比較して少ない消費電力で発光させることができるが、電球や蛍光管のように光を放射状に照射することができない。このため、従来の照明をＬＥＤ照明に取り換えた場合に、十分に照らされない領域が生じるおそれがある。そこで、このような問題を解決するための技術が提案されている（例えば特許文献１）。
【先行技術文献】
【特許文献】
【０００３】
【特許文献１】特開２０１０−１３５１３１号公報
【考案の概要】
【考案が解決しようとする課題】
【０００４】
上記特許文献１には、蛍光管型のＬＥＤ照明の照射方向を調整するために、ＬＥＤ照明の両端にあるソケットの内部に調整機構を設ける技術が開示されている。しかし、この調整機構はソケットの外部から視認できないため、照射方向の調整の際には内部を覗いて調整機構の状態を確認する必要があり、調整作業が円滑に行えないという問題がある。
【０００５】
上記課題に鑑み本考案は、照射方向の調整状況を外部から容易に確認できる、ＬＥＤを用いた照明器具を提供することを目的とする。
【課題を解決するための手段】
【０００６】
上記事情に鑑み、本考案の照明器具は、
内部に複数の発光ダイオードが長手方向に並べられ、その長手方向に直交した断面形状がＣ字状の透光面を有する管状体を備えた照明器具であって、
上記管状体が、両端部分の外周面に、周方向に設けられた複数の第一係合部を有するものであり、
第二係合部を有し、上記管状体の軸周りの回動を上記第一係合部とその第二係合部が係合することで規制する回動規制部材を備えたことを特徴とする。
【０００７】
本考案の照明器具によれば、上記係合部を外部から容易に確認できるため、ＬＥＤ照明の照射方向を容易に調整することができる。
【０００８】
ここで、上記照明器具の一つである第１照明器具は、
上記回動規制部材が、上記管状体の両端部それぞれに配置され、上記長手方向に突出し上記発光ダイオードへの電力を受け取る電極が設けられるとともに上記第二係合部が外周面の周方向に沿って複数設けられたものであることを特徴とする。
【０００９】
この第１照明器具によれば、ＬＥＤ照明を従来の蛍光灯用の取り付け器具に使用することができる。
【００１０】
ここで、上記第１照明器具は、
上記回動規制部材を上記管状体側に向けて付勢する付勢部材を備えたものであってもよい。
【００１１】
この第１照明器具によれば、上記回動規制部材を上記管状体に引きつけておくことによって、この回動規制部材を紛失することを防止できる。さらに、上記回動規制部材に設けられた上記第二係合部と、上記管状体に設けられた第一係合部とを係合しやすくすることができる。
【００１２】
また、上記第１照明器具は、
上記付勢部材が、上記回動規制部材と上記管状体を、その管状体が軸周り回動自在に連結したものであってもよい。
【００１３】
この第１照明器具によれば、上記管状体が軸周りの回転をする際に、上記付勢部材がこの回転を妨げないようにすることができる。
【００１４】
ここで、上記照明器具の一つである第２照明器具は、
上記回動規制部材が、上記管状体をその管状体の径方向に付勢してその管状体の上記長手方向の移動を規制する円弧状の板バネ部材の内周面に、上記係合部が係合する被係合部がその内周面の周方向に沿って複数設けられたものであることを特徴とする。
【００１５】
この第２照明器具によれば、上記板バネ部材を用いてＬＥＤ照明の照射方向を調整することができる。
【００１６】
また、上記第２照明器具は、
上記管状体が、両端部それぞれに、上記長手方向に突出し上記発光ダイオードへの電力を受け取る電極を有するものであってもよい。
【００１７】
この第２照明器具によれば、発光ダイオードへの通電を行ったまま、管状体を軸周りに回転させることができ、発光ダイオードの照射方向を見ながらその照射方向の調整を行うことができる。
【考案の効果】
【００１８】
本考案によれば、照射方向の調整状況を外部から容易に確認できる、ＬＥＤを用いた照明器具を提供することができる。
【図面の簡単な説明】
【００１９】
【図１】本考案の第１照明器具の実施形態である照明器具を示す図である。
【図２】図１に示す照明器具のソケットを示す図である。
【図３】図２に示すソケット蓋部を示す六面図である。
【図４】図２に示すソケットの第１変形例を示す図である。
【図５】図２に示すソケットの第２変形例を示す図である。
【図６】本考案の第２照明器具の実施形態である照明器具を示す図である。
【図７】図６に示す照明器具を組み立てる手順の前半部分を示す図である。
【図８】図６に示す照明器具を組み立てる手順の後半部分を示す図である。
【考案を実施するための形態】
【００２０】
以下、図面を用いて本考案の照明器具について説明する。
【００２１】
図１は、本考案の第１照明器具の実施形態である照明器具を示す図である。
【００２２】
図１（ａ）には、本考案の第１照明器具の実施形態である照明器具１が示されている。この照明器具１は、従来の蛍光灯に換えて使用できるものであり、ＬＥＤが内部に設けられた照明部１１と、この照明部１１の両端部に設けられたソケット１３と、このソケット１３に設けられた電極１２とを備えている。
【００２３】
照明部１１は、複数のＬＥＤが配置された一枚の基盤を、透明な筒状部材の内部に固定したものである。これらのＬＥＤは、基盤のおもて面に、長手方向に沿って並べられている。このおもて面側に、ＬＥＤの光が照射される。
【００２４】
電極１２は、従来の蛍光灯の電極と同じ規格のものであり、蛍光灯用のプラグに接続されて照明部１１内部のＬＥＤに電源を供給するためのものである。
【００２５】
ソケット１３は、照明部１１および電極１２を固定するためのものである。また、このソケット１３の内部には、照明部１１の基盤と、電極１２を繋ぐ電源コードが配線されており、ソケット１３は、この配線を保護するためのものでもある。さらに、このソケット１３は、照明部１１に対する電極１２の軸周りの角度を調整する機構を有するものであるが、この角度調整機構については後述する。
【００２６】
図１（ｂ）には、照明部１１の断面図が示されており、透明の筒状部材１１１の内部に設けられた基盤１１２と、この基盤１１２に設けられたＬＥＤ１１３が発光した際に生じる熱を逃がすために設けられたヒートシンク１１４が示されている。基板１１２上に配置されたＬＥＤ１１３は、この基盤１１２に垂直な方向を中心軸として所定の角度内に光を照射する。以下、この光が照射される方向を照明器具の照射方向と称することがある。
【００２７】
ここで、本考案の照明器具１の特徴を理解しやすくするため、まず、ＬＥＤ照明と従来の蛍光灯との差について説明する。
【００２８】
従来の蛍光灯は、その周囲に均一に光を照射するものである。このため、蛍光灯の取付にあたっては、軸周りの角度を考慮する必要がない。しかし、ＬＥＤ照明から照射される光には指向性があるため、この指向性を考慮しなくてはならない。すなわち、ＬＥＤ照明の照射方向を考慮しなくてはならない。この解決策として、照射方向が調節できるような取り付け器具を設置することが考えられるが、取り付け器具を取り換えるにはコストがかかるため、従来の蛍光灯用の取り付け器具を利用できることが望ましい。以下、ＬＥＤ照明を従来の蛍光灯用の取り付け器具に使用した場合に生じる問題について説明する。
【００２９】
図１（ｃ）は、蛍光灯を天井に取り付けるための取り付け器具Ｐに、照明器具１が取り付けられた様子を示す図である。この図には、図中の下方向に向かって照明器具１から光が照射されている様子が示されている。この図１（ｃ）に示す状況では、照明器具１は、照射方向が図中の下方向であるため、照明器具１の下で作業をするために十分な明るさを供給することができる。
【００３０】
図１（ｄ）は、図１（ｃ）に示す照明器具１を山型（逆富士型）の取り付け器具に取り付けた様子を示す図である。この山型の取り付け器具は、図１（ｃ）に示す取り付け器具Ｐを２つ用いて、それぞれ角度を変えて組み合わせたものである。したがって、この山型の取り付け器具に図１（ｃ）に示す照明器具１を取り付けると、照明器具１の取り付けられる角度が変わり、照射方向も変わることになる。この図１（ｄ）では、２つの照明器具１がそれぞれ斜め下に向かって光を照射している様子が示されている。この状態では、真下で作業をするために十分な明るさを供給することができないため、照射方向が真下になるようにする必要がある（図１（ｄ）に示す矢印参照）。すなわち、ＬＥＤを用いた照明器具を適切に使用するためには、照明器具が取り付けられる器具に合わせて照射方向を調整できるようにすることが好ましい。本実施形態の照明器具１は、このような問題を解決するために、ソケット１３に角度調整機構を設けている。これを用いて電極１２と照明部１１の相対角度を変更することによって、照射方向を調節することができる。図１（ｄ）の例においては、同図の矢印で示す方向に照射方向を変更し、真下で作業するのに十分な明るさを供給することができる。以下、このソケット１３に着目し、この照明角度調整機構の詳細について説明する。
【００３１】
図２は、図１に示す照明器具１のソケット１３を示す図である。
【００３２】
図２（ａ）には、図１に示す照明器具１のうち、ソケット１３の部分が拡大された様子が示されている。このソケット１３は、ソケット本体部１３１と、ソケット蓋部１３２を備えている。ソケット本体部１３１には、本体側凹凸部１３１１と本体側目盛１３１２が設けられており、ソケット蓋部１３２には、蓋側凹凸部１３２１と蓋側目盛１３２２が設けられている。照明部１１とソケット本体部１３１とを組み合わせたものが、本考案の管状体の一例に相当する。また、ソケット蓋部１３２は、本考案の回動規制部材の一例に相当するものである。本体側凹凸部１３１１は、本考案の第一係合部の一例に相当するものである。また、蓋側凹凸部１３２１は、本考案の第二係合部の一例に相当するものである。
【００３３】
本体側凹凸部１３１１および蓋側凹凸部１３２１は、軸周りの角度が所定の角度のときに互いに嵌合するように形成されている。より具体的には、本体側凹凸部１３１１に対する電蓋側凹凸部１３２１の軸周りの角度が１１．２５度ずつずれる毎に嵌合するように形成されている。例えば、本体側凹凸部１３１１と蓋側凹凸部１３２１を一旦分離させ、軸周りの角度を１１．２５度ずらした後に嵌合させれば、照明部１１に対する電極１２の軸周りの角度を１１．２５度変更することができる。また、軸周りの角度を９０度（１１．２５度を８回ずらした角度に相当）ずらした後に嵌合させれば、照明部１１に対する電極１２の軸周りの角度を９０度変更することができる。すなわち、これらの本体側凹凸部１３１１と蓋側凹凸部１３２１によって、照明部１１の照射方向を１１．２５度刻みで調整することができる。なお、本体側凹凸部１３１１と蓋側凹凸部１３２１は軸方向に嵌合および分離し、嵌合した際に軸周りに回転しないようになっている。
【００３４】
本体側凹凸部１３１１と蓋側凹凸部１３２１は外周面から視認できる位置に設けれられている。このため、ソケット１３内部を覗かずに外周面を見ている状態で、上述した軸周りの角度の調整を行うことができる。
【００３５】
本体側目盛１３１２と蓋側目盛１３２２は、軸周りに４５度ずつ角度をずらした位置に設けられており、照明部１１に対する電極１２の軸周りの角度を調整した場合に初期位置からどのくらい調整されているかがよりわかりやすくなっている。
【００３６】
ここで、図２（ｂ）から（ｄ）を用いてソケット本体部１３１およびソケット蓋部１３２の詳細について説明する。なお、すでに説明したものについては同一の符号を付して説明を省略する。
【００３７】
図２（ｂ）には、ソケット本体部１３１と、ソケット蓋部１３２を分離した様子が示されている。
【００３８】
ソケット本体部１３１には、内部に仕切部１３１５が設けられている。この仕切部１３１５には、本体側留め具１３１３が設けられており、また、２つの孔１３１４が形成されている。
【００３９】
一方ソケット蓋部１３２には、蓋部側留め具１３２３が設けられている。
【００４０】
本体側留め具１３１３と蓋部側留め具１３２３には、連結具１３３の両端がそれぞれ固定されている。この連結具１３３はコイルばねであり、ソケット本体部１３１にソケット蓋部１３２を引きつけるためのものである。なお、この連結具１３３は、本考案の付勢部材の一例に相当するものである。
【００４１】
照射方向を調整する際にはソケット蓋部１３２をソケット本体部１３１から取り外す必要があるが、この連結具１３３によって、取り外したソケット蓋部１３２を落してしまうというようなトラブルを防止できる。また、連結具１３３には弾性があるため、ソケット蓋部１３２を引っ張るだけで容易にソケット蓋部１３２を取り外すことができる。さらに、この連結具１３３の張力によって、ソケット蓋部１３２をソケット本体部１３１に容易に嵌合させることができる。
【００４２】
ソケット本体部１３１の２つの孔１３１４には、電極１２から照明部１１内の基盤１１２までを繋ぐ電源コード１３４が配線される。電極１２から供給される電力を照明部１１内の基盤１１２まで送るために電源コード１３４を配線するには仕切部１３１５が邪魔になる。このため、仕切部１３１５に２つの孔１３１４を形成し、電源コード１３４を配線している。ここで、この２つの孔１３１４を形成したことにより、湿気等が照明部１１側に入り込み基盤１１２の劣化が早まる恐れがある。そこで、２つの孔１３１４に電源コード１３４を配線した後の隙間に防水材１３１６を充填することにより、照明部１１側を密閉して湿気等による劣化を防止している。なお、照明部１１とソケット本体部１３１を固定部材（例えばねじ）を用いて固定する場合に、この孔１３１４をこの固定部材を挿入するために利用してもよい。
【００４３】
図２（ｃ）には、ソケット蓋部１３２をソケット本体部１３１側から見た図が示されている。なお、この図では、ソケット蓋部１３２の蓋側凹凸部１３２１が左下がりのハッチングで示されている。この図には、ソケット蓋部１３２の外縁に沿って等間隔に配置された３２個の凸部から成る蓋側凹凸部１３２１が示されている。
【００４４】
図２（ｄ）には、ソケット本体部１３１をソケット蓋部１３２側から見た図が示されている。なお、この図では、ソケット本体部１３１の本体側凹凸部１３１１が左下がりのハッチングで示されている。この図には、３２か所の凹みが形成された歯車状の本体側凹凸部１３１１が示されている。この歯車状の本体側凹凸部１３１１が、図２（ｃ）に示す蓋側凹凸部１３２１と嵌合する。なお、図２（ａ）において、ソケット本体部１３１とソケット蓋部１３２は、軸周りの角度が１１．２５度ずつずれると嵌合すると説明したが、この角度は、一周３６０度の上記蓋側凹凸部１３２１に、３２個の凸部があることによる（３６０度÷３２＝１１．２５度）。
【００４５】
図３は、図２に示すソケット蓋部１３２を示す六面図である。
【００４６】
この図は電極１２側からソケット蓋部１３２を見た方向を正面とした六面図であり、（ａ）は背面図であり、（ｂ）は左側面図であり、（ｃ）は上面図であり、（ｄ）は正面図であり、（ｅ）は底面図であり、（ｆ）は右側面図であり、（ｇ）は（ｆ）の断面模式図である。
【００４７】
これらの図には、上記説明したソケット蓋部１３２に設けられた蓋側凹凸部１３２１と蓋側目盛１３２２、中央に設けられた留め具１３２３、および電極１２が示されている。
【００４８】
上記説明した照明器具１によれば、ソケット１３の内部を覗き込まずに、照明部１１の軸周りの角度の調整状況を外部から確認することができるため、照射方向の調整作業を円滑に行うことができる。なお、本実施形態の照明器具１は、１１．２５度刻みで照射方向を調整できるが、この角度に限定されずに例えば１０度刻みや、３０度刻みで調整できるものであってもよい。また、連結具１３３にはばねを用いたが、ソケット蓋部１３２をソケット本体部１３１と密着させるものであれば、例えばゴムのような弾性体であってもよい。また、照明部１１の密閉性を高めるため、ソケット１３と照明部１１との境目や、ソケット本体部１３１とソケット蓋部１３２との境目に防水コーキングを施してもよい。
【００４９】
上記説明した照明器具１は、外周面に設けられた角度調整機構が大きな特徴であるが、この角度調整機構を外周面に設けない場合も考えられる。ここで、図４および図５を用いて、照明器具１を変形した、角度調整機構を外周面に設けない例について説明し、上述した照明器具１の優位性について再度説明する。
【００５０】
図４は、図２に示すソケット１３の第１変形例を示す図であり、図５は、図２に示すソケット１３の第２変形例を示す図である。図４および図５では、図２に示すソケット１３との違いを理解しやすくするため、図２（ａ）から（ｄ）と同じ態様でソケット１３の各変形例が示されている。なお、図２に示すソケット１３と共通する部分については同じ符号を付して説明を省略する。また、図２（ｂ）で説明した連結部１３３と配線１３４、および防水材１３１６については、各変形例との違いをわかりやすくするため図示を省略している。
【００５１】
まず、図４に示すソケット１３は、図２に示すソケット１３とは軸周りの角度を調整するための凹凸部の形状が異なるものである。図２に示すソケット蓋部１３２に設けられた蓋側凹凸部１３２１では、凹んだ部分によって外周面に対する隙間が形成され、図２（ａ）に示すように本体側凹凸部１３１１と蓋側凹凸部１３２１の嵌合部分が外部から視認できる。これに対して、図４に示すソケット１３の第１変形例では、蓋側凹凸部１３２７は外周面に対する隙間をなくし、図４（ａ）に示すように蓋側凹凸部１３２７と本体側凹凸部１３１７との嵌合部分がソケット１３の内部に収まるようなっている。このソケット１３の第１変形例では、図２に示すソケット１３よりも密閉性を高めることができるものの、外部から上記嵌合部分を視認することができなくなる。
【００５２】
図５に示すソケット１３では、本体側凹凸部１３１８と蓋側凹凸部１３２８が、ソケット本体部１３１の外周面に覆われた領域内で嵌合するように形成されている。このため図４に示す第１変形例の場合と同様にこのソケット１３の第２変形例では、図２に示すソケット１３よりも密閉性を高めることができるものの、外部から上記嵌合部分を視認することができない。
【００５３】
上記図４および図５に示す変形例では、外部から上記嵌合部分を視認することができないため、照明部１１の照射方向の調整の手間がかかる。これに対して本考案の照明器具１は、外部から上記嵌合部分を視認できるため、照明部１１の照射方向を調整しやすい。なお、本考案の照明器具１では、ソケット１３の内部に防水材１３１６を使用することによって密閉性について問題が発生しないようにしている。
【００５４】
ここまで、本考案の第１照明器具の実施形態について説明した。次に、本考案の第２照明器具の実施形態について説明する。
【００５５】
図６は、本考案の第２照明器具の実施形態である照明器具を示す図である。
【００５６】
この図６（ａ）には、本考案の第２照明器具の実施形態である照明器具２が示されている。この照明器具２は、管状体２０と、台座側留め具２５と、この台座側留め具２５が固定された台座２６とを備えている。管状体２０は、照明部２１と、電極２２と、ソケット２３と、ソケット２３に取り付けられた照明側留め具２４とを有する。この管状体２０は、本考案の管状体の一例に相当するものである。
【００５７】
照明部２１および電極２２は、図１に示す照明部１１および電極２１と同様の構成のものである。図６に示すソケット２３の内部には、照明部２１の基盤と、電極２２を繋ぐ電源コードが配線されている。なお、図６に示すソケット２３には、図２に示すソケット１３のような角度調整機構はない。
【００５８】
台座２６は、長尺な箱状のものであって、ドライバおよび電極２２と接続部材を介して接続される電源コードを内蔵している。
【００５９】
照明側留め具２４は、台座側留め具２５と嵌合するものである。この双方が嵌合すると、台座２６に対して照明部２１が、これらの留め具２４，２５およびソケット２３を介して固定される。以下、これらの留め具２４，２５の詳細について説明する。
【００６０】
図６（ｂ）には、照明側留め具２４および台座側留め具２５が拡大された様子が示されている。
【００６１】
照明側留め具２４の周面には８つの凸部２４１が等間隔に設けられている。一方、台座側留め具２５には、この凸部に対応する凹み部２５１が形成されている。台座側留め具２５は板ばねで出来ており、内径を拡げて照明側留め具２４を挟み込むことが出来る。なお、上記凸部２４１は、本考案の第一係合部の一例に相当するものであり、上記凹み部２５１は、本考案の第二係合部の一例に相当するものである。
【００６２】
図６（ｃ）には、台座側留め具２５に挟み込まれた照明側留め具２４が示されている。なお、説明を理解しやすくするため、照明側留め具２４が取り付けられているソケット２３、照明部２１、および電極２１については図示を省略する。この図において上部の左右方向の矢印は、台座側留め具２５の上部を拡げられることを示しており、照明側留め具２４の内部に示された矢印は、照明側留め具２４が軸周りに回転可能であることを示している。台座側留め具２５が照明側留め具２４を挟んだ後、照明部２１を軸周りに回転させると、回転角度が所定の角度になったときに上記凸部２４１と凹み部２５１が嵌合する。この実施形態では４５度間隔で凸部２４１と凹み部２５１が嵌合する。すなわち、凸部２４１と凹み部２５１が嵌合する位置を調整することにより、照明部２１の照射方向を調整することができる。なお、上記管状体は、台座２６に内蔵された不図示の接続部材を電極２２に接続した状態でも軸周りに回動可能なものである。このため、例えばこの接続部材を電極２２に接続し、照明部２１を発光させた状態で、照明部２１の照射方向を調整することができる。
【００６３】
以下、図７および図８を用いて、図６に示す照明器具２の組み立て方法の一例について説明する。
【００６４】
図７は、図６に示す照明器具２を組み立てる手順の前半部分を示す図である。
【００６５】
図７（ａ）には、照明側留め具２４の外周面が示されており、図７（ｂ）には、照明側留め具２４を電極２２側から見た様子が示されている。照明側留め具２４は、図７（ａ）に示すように一定の幅があり、図７（ｂ）に示すようにリング状の部材である。図７（ａ）に示すように、この照明側留め具２４は縁の部分が他の部分と比較して僅かに厚くなっており、台座側留め具２５によって挟み込まれた照明側留め具２４が軸方向にずれないようになっている。また、図７（ｂ）には、照明側留め具２４の径方向外方に向かって突出した凸部２４１が、その中心軸から４５度の角度毎に全部で８つ設けられていることが示されている。
【００６６】
図７（ｃ）には、照明側留め具２４をソケット２３に取り付ける様子が示されている。図中に示す矢印は、照明側留め具２４をソケット２３に取り付ける際の方向を示すものである。この照明側留め具２４をソケット２３に嵌め込んだ後、長手方向の位置を調節した上で、ソケット２３に固定する。なお、照明側留め具２４は、照明部２１の両端にあるため、双方の照明側留め具２４がそれぞれ台座側留め具２５に嵌合するように長手方向の位置を調整する必要がある。図７（ｄ）には、照明側留め具２４がソケット２３に回動不能に取り付けられた様子が示されている。すなわち、ソケット２３と照明側留め具２４は一体化されている。
【００６７】
図８は、図６に示す照明器具２を組み立てる手順の後半部分を示す図である。
【００６８】
図８（ａ）には、台座側留め具２５の外周面が示されており、図８（ｂ）には、台座側留め具２５を軸方向から見た様子が示されている。台座側留め具２５は、図８（ａ）に示すように一定の幅があり、図８（ｂ）に示すようにリング状の部材である。この台座側留め具は２５はその下側が台座２６に固定されており、上側が開口している。台座側留め具２５は板ばねであるため、この開口を拡げて照明側留め具２４を挿入することができる。図８（ｂ）には、６つの凹み部２５１が示されている。この凹み部２５１は照明側留め具２４に設けられた凸部２４１に対応している。
【００６９】
図８（ｃ）には、ソケット２３に取り付けられた照明側留め具２４を台座側留め具２５に取り付ける様子が示されている。図中に示す矢印は、照明側留め具２４を台座側留め具２５に取り付ける際の方向を示すものである。
【００７０】
図８（ｄ）には、照明側留め具２４が台座側留め具２５に取り付けられた様子が示されている。この図において、照明部２１の軸周りに示された矢印は、照明部２１を回転させることができることを示している。照明部２１を軸周りに回転させると、管状体２０全体が回転し、台座側留め具２５に対する照明側留め具２４の相対的な角度が変化する。すなわち、上記説明したように、照明側留め具２４の凸部２４１と、台座側留め具２５の凹み部２５１は、照明部２１を回転させると４５度間隔で嵌合するため、照明部２１の照射方向を調整することができる。ここで、調整した照射方向で確実に固定したい場合には、例えば台座側留め具２５の上部をボルトで固定してもよい（図８（ｄ）に示すＢ参照）。ボルトで固定すると、管状体２０を下側にして設置した場合に、管状体２０が台座側留め具２５から外れて落下してしまうことを防止することができる。
【００７１】
上記説明した照明器具２によれば、照明側留め具２４および台座側留め具２５を見れば４５度ずつ調整できることが容易に理解できる。したがって、照明部２１を一瞬でも発光させれば、最適な嵌合状態を容易に想定することができ、照明部２１の照射方向の調整作業を容易に行うことができる。また、照明部２１を発光させなくても、管状体２０の電極２２の向きによって調整状況を確認することもできる。さらに、照明部２１を発光させたまま照射方向を調整することもできる。
【００７２】
なお、本実施形態の照明器具２は、４５度刻みで照射方向を調整できるが、この角度に限定されずに例えば１０度刻みや、３０度刻みで調整できるものであってもよい。この際、照明側留め具２４や台座側留め具２５に、色分した目盛や、調整角度を示す記号等を付すことにより、照射方向の調整状況を容易に把握できるようにしてもよい（図８（ｄ）に示す目盛Ｇ参照）。また、照明部２１の密閉性を高めるため、ソケット２３と照明部２１との境目に防水コーキングを施してもよい。
【符号の説明】
【００７３】
１  照明器具
１１  照明部
１１１  筒状部材
１２  電極
１３  ソケット
１３１  ソケット本体部
１３１１  本体側凹凸部
１３２  ソケット蓋部
１３２１  蓋側凹凸部
２  照明器具
２０  管状体
２１  照明部
２２  電極
２３  ソケット
２４  照明側留め具
２５  台座側留め具
２６  台座
【図１】
0003164046.tif 000003
【図２】
0003164046.tif 000004
【図３】
0003164046.tif 000005
【図４】
0003164046.tif 000006
【図５】
0003164046.tif 000007
【図６】
0003164046.tif 000008
【図７】
0003164046.tif 000009
【図８】
0003164046.tif 000010